(57)【要約】【課題】雨水などの排水を地下浸透するのに適したシステムを提供する。【解決手段】浸透側溝２０と、浸透貯留槽３０と、その間の透水性の地層とを備えた浸透システムを提供する。浸透側溝２０は、側壁２１ａ、２１ｃおよび底壁２１ｂの少なくとも一部が透水性であり、排水を地下に浸透させる。浸透貯留槽３０は、空隙部材３１と、貯留槽の外周層を構成する透水性シート３２とを備えている。浸透側溝２０から地下浸透された水の一部が浸透貯留槽３０で貯えられて、再度、徐々に地中に放出される。【選択図】図１
2008163637.tif 000002
【特許請求の範囲】
【請求項１】
道路に沿って施工されたコンクリート製の構造体と、
前記構造体の下側に、地層を挟み、少なくとも一部が埋設され、前記構造体の延びた方向に沿って配置された浸透型の貯留槽とを有し、
前記貯留槽は、貯留用の空隙を形成するための中空多孔性で樹脂製の空隙部材を含む、浸透システム。
【請求項２】
請求項１において、前記空隙部材は、ボックス状に組み立てられた複数の多孔性部材を含み、
前記貯留槽は、１つ、または、縦および／または横に積み重ねられた複数の前記空隙部材を含む貯留本体と、前記貯留本体の外側の少なくとも一部を覆う透水性のシートとを備えている、浸透システム。
【請求項３】
請求項１において、前記構造体は、コンクリート製の境界ブロック、コンクリート製の歩車道境界ブロックまたはコンクリート製の側溝用ブロックを用いて施工されたものである、浸透システム。
【請求項４】
請求項１において、前記構造体は、路面から雨水および／または排水を集水する機能を備えており、
前記構造体に集められた雨水および／または排水の少なくとも一部を前記貯留槽に導水する手段を有する、浸透システム。
【請求項５】
請求項１において、前記構造体の少なくとも一部は透水性であり、
前記構造体と前記貯留槽との間の前記地層は、透水性の地層である、浸透システム。
【請求項６】
請求項４または５において、前記構造体は側溝である、浸透システム。
【請求項７】
請求項６において、前記側溝は、コンクリート製の側壁および底壁の少なくとも一部が透水性である、浸透システム。
【請求項８】
請求項６において、前記側溝の中空部分の断面積に対し、前記貯留槽の中空部分の断面積の方が大きい、浸透システム。
【請求項９】
請求項１において、前記貯留槽は、前記道路に沿って断続的に設けられている、浸透システム。
【請求項１０】
請求項１において、前記貯留槽は、水路を形成している、浸透システム。
【請求項１１】
道路に沿ったコンクリート製の構造体を施工する予定の地域を掘削する工程と、
前記構造体の下側となる場所を少なくとも含めて、前記道路に沿うように、中空多孔性で樹脂性の空隙部材を並べて浸透型の貯留槽を形成する工程と、
前記貯留槽の上方に地層を形成する工程と、
前記地層を挟んで、前記貯留槽の上方に、前記構造体を施工する工程とを有する、浸透システムの施工方法。
【請求項１２】
請求項１１において、前記構造体を施工する工程は、前記道路の路肩に沿って境界ブロック、歩車道境界ブロックまたは側溝用ブロックを並べることを含む、浸透システムの施工方法。
【請求項１３】
請求項１２において、前記構造体を施工する工程は、さらに、前記構造体に集められた雨水および／または排水の少なくとも一部を前記貯留槽に導水するための導水路を施工することを含む、浸透システムの施工方法。
【請求項１４】
請求項１２において、前記構造体を施工する工程は、少なくとも一部が透水性のブロックを少なくとも一部に含めて前記構造体を施工することを含み、
前記地層を形成する工程は、透水性の地層を形成することを含む、浸透システムの施工方法。
【請求項１５】
道路に沿って側溝を施工する予定の地域を掘削することと、
前記側溝の下側となる場所を少なくとも含めて、前記道路に沿うように、中空多孔性で樹脂性の空隙部材を並べて浸透型の貯留槽を形成することと、
前記貯留槽の上方に透水性の地層を形成することと、
前記透水性の地層を挟んで、前記貯留槽の上方に、側壁および底壁の少なくとも一部が透水性のコンクリート製の側溝用ブロックを並べて浸透型の前記側溝を施工することとを有する、浸透システムの施工方法。
【発明の詳細な説明】
【技術分野】
【０００１】
本発明は、雨水などの貯留浸透施設に関するものである。
【背景技術】
【０００２】
特許文献１には、雨水等を導いて排水する導水溝ブロックを連設して排水路を形成すると共に、該排水路の連設方向に沿って形成された貯留空間内に複数の充填部材を連設した浸透渠部を併設し、前記排水路と、該浸透渠部との間には、該排水路内の雨水を該浸透渠部へ流出可能な連通部が設けられていることを特徴とする雨水流出抑制排水路構造が記載されている。具体的には、排水路である暗渠と浸透渠部とがほぼ水平に併設され、暗渠と浸透渠部との間に、暗渠内の雨水を、浸透渠部へ流出可能な連通部としての堰が形成されている。充填部材は、ポリプロピレン等の合成樹脂製材料で構成されている。
【０００３】
特許文献１には、さらに、以下のような効果が得られることが記載されている。この雨水流出抑制排水路構造は、堰により排水路からの水流量が調整され、さらに堰を介して砂または泥等の交雑が少ない雨水がオーバーフローされて浸透渠部へ流出する。浸透渠部では、流入した雨水が一時的に貯留されると共に、徐々に地中に浸透される。このため、排水路を介して、河川あるいは下水処理設備等へ流入する雨水の水量を減少させることができ、下水処理設備の機能低下あるいは河川の氾濫の虞が減少する。浸透渠部の貯留空間内には、複数の充填部材が連設されているので、該貯留空間の上方を道路等の設備として、充填部材で下方から支持可能である。充填部材は、合成樹脂製材料で構成されているので、所定の大きさで形成されることにより、重量を増大させることが無く、搬送性が良好である。そして、施工現場では、縦横又は上下方向に組み合わせて、他の充填部材と連結することにより、浸透渠部の貯留空間内に容易に安定させて設置できる。
【０００４】
特許文献２には、貯留浸透能力が高く、機械的強度と軽量性とを兼ね備えた構造体、および、それらを用いた雨水等貯留浸透施設を提供することが記載されている。具体的には、プラスチック材料、またはプラスチック材料と無機粉体とを混合した複合材料を用いた部材であって、開口を有する仕切部材と、側板部材と、面板部材とを組み合わせた構造体が記載されている。
【特許文献１】特開２００６−２７４６２８号公報
【特許文献２】特開２００６−３７４８２号公報
【発明の開示】
【発明が解決しようとする課題】
【０００５】
雨水などの排水を地下浸透させることにより、排水の浄化、地下水の確保、河川などの汚染防止など種々のメリットが期待できる。しかしながら、浸透型の貯留設備を施工するスペースが必要になる。
【０００６】
貯留容量の大きな浸透貯留設備は、特許文献１および２に記載の合成樹脂部材からなる充填部材あるいは構造体を用いることにより施工できるようになってきた。しかしながら、合成樹脂部材の充填部材を用いた貯留設備は、コンクリート製の地下埋設構造と比較すると、耐荷重、特に輪荷重に対する強度は低く、道路下などに適用することは難しい。
【０００７】
分散型の浸透貯留設備は、排水の浄化、地下水の確保などの点で好ましい形態である。雨量が少ないときは、雨水を地下浸透処理でき、雨量が多いときにも対応できるように小規模の浸透貯留設備を分散配置したシステムが好ましいと考えられる。しかしながら、そのようなシステムは得られてない。特許文献１に記載された雨水流出抑制排水路構造は、堰の高さにより排水路から浸透渠部へ流出する量を調整できる。しかしながら、堰の高さが水面になるので、この堰を越える水量を浸透渠部に貯留することができない。このため、堰の高さ以下の水量（雨水）は排水路を流れてしまい、浸透渠部に貯留できない。したがって、降水量が少ないときは、排水路に集められた雨水を地下浸透させることはできず、雨水を土壌に戻すことができない。
【課題を解決するための手段】
【０００８】
本発明の一態様は、道路に沿って施工されたコンクリート製の構造体と、構造体の下側に、地層を挟み、少なくとも一部が埋設され、構造体の延びた方向に沿って配置された浸透型の貯留槽とを有し、貯留槽は、貯留用の空隙を形成するための中空多孔性で樹脂製の空隙部材を含む、浸透システムである。路肩には、路肩の補強、歩道との境界、集水などの目的でコンクリートを用いた構造体が施工される。コンクリート製の構造体は、上からの荷重、例えば、輪荷重を分散させる。したがって、この構造体の下に沿って浸透型の貯留槽を施工することにより、貯留槽を形成する樹脂製の空隙部材に対する輪荷重の影響を低減できる。また、浸透型の貯留槽を道路に沿って施工できるので、貯留槽を分散配置するためのスペース（土地、面積）を容易に確保できる。
【０００９】
中空多孔性の樹脂製の空隙部材は、プラスチック、プラスチック繊維、ガラス繊維、無機粉体を混合した複合材料、それらの組み合わせにより製造された部材を含む。そのような空隙部材は、プラスチック製で表面に多数の小孔が開いた配管を含む。空隙部材の好適な例は、ボックス状に組み立てられた複数の多孔性部材を含むものである。スケルトンのような構成の多孔性部材を採用することにより空隙比を高くでき、貯留量の大きな貯留槽を形成できる。そのような空隙部材の一例は、上記の特許文献１および２に記載されている充填部材あるいは構造体であり、プラスチック製などの軽量で、さび難く、強度が高い素材で作られたプレート、フレームなどを立体的に組み合わせたものである。
【００１０】
貯留槽は、１つ、または、縦および／または横に積み重ねられた複数の空隙部材を含む貯留本体を含むことが望ましい。そして、貯留本体の外側の少なくとも一部を、不織布などの透水性のシートにより覆うことにより、貯留本体に貯留されている水（貯留水）と、外側の透水性の土壌（土層）との接触面積を確保でき、適当な速度で貯留水を浸透させることができる。また、土壌のバクテリアなどの菌類が貯留水に侵入することを可能とし、貯留本体内部での水質浄化を促進できる。
【００１１】
路肩など、道路に沿って施工される構造体は、コンクリート製の境界ブロック、コンクリート製の歩車道境界ブロックまたはコンクリート製の側溝用ブロックを用いて施工されたものを含む。これらのブロックは、適当な長さ、例えば、１〜２ｍ程度の長さで工場プレハブされている。したがって、これらの構造体の上に加わる輪荷重は、少なくともブロックの単位で分散され、その下に埋設されている貯留槽への影響を緩和できる。側溝用ブロックの典型的なものは、断面がＬ字型で、道路境界または歩車道境界を兼ねた側溝用ブロック、断面がＵ字型の側溝用ブロック、断面が門型で、底をインバートコンクリートにより現地で施工するタイプの自由勾配側溝と称される側溝用ブロック、断面が四角形あるいは丸型などのカルバートタイプの側溝用ブロックである。
【００１２】
これらの構造体は、路面から雨水および／または排水を集水する機能を備えている。したがって、構造体に集められた雨水および／または排水の少なくとも一部を貯留槽に導水する手段、例えば、排水枡を設けることにより、路面から雨水などの排水を貯留槽に集め、地下浸透させることができる。
【００１３】
構造体の少なくとも一部を透水性とし、構造体と貯留槽との間の地層を透水性の地層とすることにより、構造体に集められた雨水などの排水を、コンクリート枡などを施工せずに、簡単に貯留槽に導くことができる。地表側の構造体と、その下の貯留槽との間の透水性の地層は、他の地下埋設物の施工のために利用できる空間となる。例えば、この透水性の地層を用いて水道管、埋設電線管などを道路側から住宅側に引き込むことが可能となる。したがって、上方に側溝などの構造体、下方に貯留槽という上下に長い地下配置のシステムであっても、他の地下埋設物の施工の障害となることは少ない。透水性の地層とは、例えば、土砂、砕石などにより充填された層である。
【００１４】
構造体は側溝であることがさらに好ましい。雨量が少ないときは、側溝から貯留槽に雨水を蓄えて地下浸透処理できる。雨量が多いときには、側溝により排水設備、河川などに排水できる。したがって、小規模の浸透貯留設備を分散配置し、雨量の多少に適した方法で雨水を処理できるシステムを構築できる。すなわち、浸透型の側溝と、浸透型の貯留槽とを有する浸透システムでは、側溝に集められた雨水排水は、側溝から周囲の地層にいったん浸透する。したがって、降水量が少ないときでも、側溝に集められた雨水などは土壌に戻され、植物の育成などに有効に利用され、地下水の枯渇を防止できる。一方、降水量が多いなどの理由で、側溝に大量の排水が集められ、そのような排水の全量をその場で浸透処理できない状況になれば、側溝を介して排水が流れ、他の場所で浸透したり、河川に放出したり、下水処理場などの排水設備に排出したりすることができる。
【００１５】
浸透型の側溝は、コンクリート製の側壁および底壁の少なくとも一部が透水性である。側壁および底壁を透水性にすることにより、透水用の面積を確保しやすい。側溝の中空部分の断面積に対し、貯留槽の中空部分の断面積の方を大きくし、貯水量を確保することが望ましい。貯留槽の幅が側溝、その他の路肩の構造体の幅より大きくなっても良い。構造体の中心近傍に加わる輪荷重をコンクリートブロックにより分散することで、貯留槽への輪荷重を大幅に低減できるからである。また、路肩は、輪荷重が加わる機会は少ないが、駐車すると、同じ位置に輪荷重が長時間にわたり加わるが、コンクリートブロックによりそのような輪荷重も分散できる。
【００１６】
貯留槽は、道路に沿って断続的に設けても良く、連続して設けても良い。水路を形成するように連続した貯留槽は、貯留槽に回収された雨水などの排水を他の場所に流す機能も有する。水路を構成するように連続した貯留槽は、空隙部材を連続して配置することにより施工できる。
【００１７】
一方、断続的に設けられた複数の貯留槽は、雨水などの排水を道路に沿って分散して貯留し、浸透するシステムを構成する。道路のほとんどは傾斜が連続しているものであり、単純に道路の表面に沿って貯留槽を施工すると、貯留槽に水を溜めることは難しい。さらに、側溝などの水路は、排水するためのものであり、傾斜が連続している。したがって、側溝の表面あるいは底面に沿って貯留槽を施工しても、貯留槽に水を溜めることは難しい。本発明に含まれる浸透システムにおいては、道路に沿った構造体の下に貯留槽を施工する。したがって、貯留槽は道路あるいは構造体の傾斜とは独立した傾斜を設定できる。たとえば、道路あるいは側溝などの構造体が傾いているのに対し、水平な貯留槽を断続的に、あるいは階段状に施工することも可能である。
【００１８】
本発明の他の態様の一つは、施工方法であり、道路に沿ったコンクリート製の構造体を施工する予定の地域を掘削する工程と、構造体の下側となる場所を少なくとも含めて、道路に沿うように、中空多孔性で樹脂性の空隙部材を並べて浸透型の貯留槽を形成する工程と、貯留槽の上方に地層を形成する工程と、地層を挟んで、貯留槽の上方に、構造体を施工する工程とを有する。
【００１９】
構造体を施工する工程は、道路の路肩に沿って境界ブロック、歩車道境界ブロックまたは側溝用ブロックを並べることを含む。構造体を施工する工程は、さらに、構造体に集められた雨水および／または排水の少なくとも一部を貯留槽に導水するための導水路を施工することを含んでも良い。
【００２０】
構造体を施工する工程は、さらに、少なくとも一部が透水性のブロックを少なくとも一部に含めて構造体を施工することを含み、地層を形成する工程は、透水性の地層を形成することを含んでも良い。
【００２１】
浸透型の側溝と、浸透型の貯留槽とを有する浸透システムの施工方法は、道路に沿って側溝を施工する予定の地域を掘削することと、側溝の下側となる場所を少なくとも含めて、道路に沿うように、中空多孔性で樹脂性の空隙部材を並べて浸透型の貯留槽を形成することと、貯留槽の上方に透水性の地層を形成することと、透水性の地層を挟んで、貯留槽の上方に、側壁および底壁の少なくとも一部が透水性のコンクリート製の側溝用ブロックを並べて浸透型の側溝を施工することとを有する。
【発明を実施するための最良の形態】
【００２２】
図１に、浸透システムの一実施形態の構成を、断面図を用いて示している。この浸透システム１０は、道路１に沿って配置された浸透側溝２０と、その側溝２０の下側に埋設された浸透貯留槽３０とを備えており、側溝２０と浸透貯留槽３０との間に砕石および砂を含む、透水性の地層１５が形成されている。この浸透側溝２０は、道路１に沿って施工されたコンクリート製の構造体の一例である。この例では、浸透側溝２０は、カルバート（暗渠）タイプの側溝であり、内部に断面がほぼ円形の水路２９が形成されている。水路２９を流れる雨水などの排水は、側溝２０の側壁２１ａおよび２１ｃ、および底壁２１ｂに断続的に設けられた開口２５を介して、側溝２０の周囲の地層に浸透する。
【００２３】
浸透側溝２０は、道路１に沿って、道路１と歩道あるいは宅地などの民地３との境界に配置される。浸透側溝２０を構成するコンクリート製の側溝用ブロック５１の上面２１ｄは道路１の路肩を構成する。道路１と民地３との間には、境界ブロック２が設置されている。側溝用ブロック５１の上面２１ｄに、長手方向に延びたスリット（開口）２６が設けられており、道路１の表面を流れた排水は、境界ブロック２により民地３の側に流れ出さず、スリット２６を介して側溝２０に回収（集水）されるようになっている。
【００２４】
このような浸透側溝２０は、例えば、図４（ａ）に示す側溝用ブロック５１を所定の方向に並べて埋設することにより施工できる。側溝用ブロック５１は、コンクリートにより工場においてプレハブ（プレキャスト）されたほぼ直方体状で、長手方向に水路となる空間５５が延びた中空の、長さ２ｍ程度のブロックである。側溝用ブロック５１は、左右の側壁２１ａおよび２１ｃと、底壁２１ｂと、上壁２１ｄとを備えており、左右の側壁２１ａおよび２１ｃと、底壁２１ｂには断続的に複数の小さな開口２５が形成されている。したがって、これら左右の側壁２１ａおよび２１ｃと、底壁２１ｂは透水性であり、空間（水路）５５を流れる水は、これらの側壁２１ａおよび２１ｃと、底壁２１ｂとを通して周囲に流出する構造となっている。また、上壁２１ｄには、長手方向に沿ってスリット２６が形成されており、側溝２０の上面が表れる路面などの地表から雨水などの排水を側溝２０の内部に集水できるようになっている。
【００２５】
浸透側溝２０は、側溝用ブロック５１を所定の埋設深さ（レベル、高さ）で並べるための基礎コンクリートを施工し、その基礎コンクリートの上に並べてモルタルなどにより連結することにより施工できる。しかしながら、基礎コンクリートの部分の透水性を確保することが難しい。このため、図１に示した浸透システム１０においては、図４（ｂ）に示す底板ブロック５９を並べて敷設することにより、埋設レベルを設定し、基礎コンクリートを省く、または、基礎コンクリートの量を削減するようにしている。底板ブロック５９には、断続的に複数の開口２５が設けられており、この底板ブロック５９も透水性である。
【００２６】
側溝用ブロック５１の周囲には、単粒度の砕石の層１６が形成され、その外側に砕石の層１８が形成され、さらに、その外側が埋め戻された土砂の地層１９となっている。したがって、側溝用ブロック５１により施工された側溝２０においては、水路２９を流れる排水５は、側壁２１ａおよび２１ｃ、さらに底壁２１ｂの開口２５から、周囲の地層に浸透する。
【００２７】
側溝用ブロック５１の下側には、単粒度の砕石の層１６と、良質の砂の層１７とを含む透水性の地層１５を介して浸透貯留槽３０が設けられている。貯留槽３０は、ボックス型の空隙部材３１と、その周囲を覆う透水性シート３２とを含む。空隙部材３１は、プラスチック、プラスチック繊維、ガラス繊維、さらにはプラスチックを含む複合材料などの成形性が高く、強度も高い材料により形成されている。具体的には、空隙部材３１は、それらの材料により格子状、扇状などに成形された複数のプレートがボックス状に組み立てられたものである。それぞれのプレートは、開口面積（開口率）が大きくなるように、スケルトン状に成形されており、複数のプレートをボックス状に組み合わせることにより、全体として高い強度と、大きな貯留空間とが確保できるようになっている。空隙部材３１は、プレートの代わりに、あるいはプレートとともに、フレームを縦横さらには斜めなどに組み合わせてボックス状にしたものであっても良い。
【００２８】
このような空隙部材３１は、浸透材、貯留用の構造材などとも称されるものである。貯留槽３０の本体となる空隙部材は、プラスチック製のパイプであって、周壁に多数の開口（小孔）が設けられたパイプを断面方向に縦横に積重ねたものであっても良い。スケルトン状に縦横さらに斜めなどに強度部材が伸びたボックス状の空隙部材３１は、強度、水の流通性、重量、運搬費用も含めた施工コストなどの点でさらに優れている。
【００２９】
貯留槽３０は、断面方向に、複数のボックス状の空隙部材３１が縦および／または横に積重ねられた貯留本体３５と、その外側を覆う透水性のシート３２とを含む。貯留本体３５は、断面方向が１つのボックス状の空隙部材３１であっても良い。予め所定のサイズの直方体あるいは立方体などのボックス状に組み立てられた空隙部材３１を所定の数、縦横に積み重ねることにより所定の断面積を備えた浸透貯留槽３０の本体（内部）を構成することができる。そして、側溝２０の長手方向に沿って空隙部材３１を継ぎ足していく、あるいは連続して設置していくことにより、所定の容量（貯水量）を備えた貯留槽３０を施工することができ、空隙部材３１の内部は貯留された水が流通するので、これらの空隙部材３１を道路１あるいは側溝２０に沿って接続した貯留槽３０は水路（地下水路）にもなる。
【００３０】
透水性シート３２は、積み重ねられた空隙部材３１の外周面を覆うように施工されており、浸透貯留槽３０の浸透性（透水性）の外周層を構成する。透水性シート３２の一例は、ガラス繊維、プラスチック繊維などの耐食性の高い繊維からなる不織布である。不織布は、密度を変えたり、厚みを変えたり、多層にすることにより透水性（透水率）を制御することが可能である。したがって、貯留槽３０の空隙部材３１により構成される貯留本体３５に水（水面）３９を保持することができ、貯留時間を制御できる。また、空隙部材３１の底面および側面の一部を、透水性シート３２の代わりに、不透水性のシートあるいは壁体により覆うことも可能であり、浸透貯留槽３０の一部を、水が地面に浸透しない貯水槽として利用することも可能である。透水性シート３２の他の例は、例えば、適当な大きさの多数の開口あるいは孔が開いたビニールシートあるいはその他の樹脂によるシートである。
【００３１】
この浸透システム１０においては、浸透貯留槽３０が、浸透側溝２０の下方に施工されており、浸透貯留槽３０への水の供給は、浸透側溝２０から透水性の地層１５を介して行なわれる。すなわち、浸透側溝２０から透水性の地層１５に浸透した水が浸透貯留槽３０の透水性シート３２を介して貯留槽３０に貯留される。そして、浸透貯留槽３０の周囲の水分率が低下すると、浸透貯留槽３０に貯留されていた水が徐々に周囲に流出する。
【００３２】
開口率の高い空隙部材３１の組み合わせによる貯留本体３５の外側を不織布などの透水性のシート３２により覆うシステムは、さらに、貯留本体３５に貯留されている水（貯留水）３９と、外側の透水性の土壌（土層）１７との接触面積を確保できる。このため、適当な速度で貯留水を浸透させることに加えて、土壌のバクテリアなどの菌類が貯留水３９に侵入することを可能とし、貯留本体３５の内部における水質浄化を促進できる。
【００３３】
この浸透システム１０においては、浸透貯留槽３０は、浸透側溝２０の下側に配置されるので、地下のスペースを有効に利用できる。すなわち、浸透貯留槽３０を、側溝２０が施工される幅の領域（土地）に埋設することができる。したがって、道路１に沿って、道路１の幅を拡幅したりせず、また、民地３の面積を削ることなく、全体として貯留量の大きな浸透貯留槽３０を備えた浸透システム１０を設置できる。浸透貯留槽３０の容積によっては、側溝２０が施工される幅だけでは、側溝２０の下方に設置できない可能性がある。その場合でも、浸透貯留槽３０が地下で、道路１の側に張り出す量を削減できる。
【００３４】
そして、浸透貯留槽３０は、浸透側溝２０の下側に埋設される。このため、浸透貯留槽３０に加わる輪荷重は小さくなり、空隙部材３１が輪荷重により損傷したり、道路１に凹凸ができたりすることを抑制できる。すなわち、側溝２０を構成する側溝用ブロック５１は、コンクリート製で、１つのブロックの長さが２ｍ程度である。したがって、この側溝用ブロック５１の上に加わる輪荷重は、側溝用ブロック５１により、長手方向および幅方向に分散して地下に伝達される。このため、空隙部材３１に加わる輪荷重は大幅に低減される。
【００３５】
道路１の中央部分は、車の往来が多いので、プラスチック製の空隙部材３１を埋設する場所としては適していない。空隙部材３１の強度が高くても輪荷重などにより破損する可能性はあり、空隙部材３１の破損により道路１に凹凸が発生することは好ましくないからである。路肩は、車の往来は少ないが、駐車する可能性があり、輪荷重が長時間の負荷となる可能性があり、そのままでは、プラスチック製の空隙部材３１を埋設するのに適しているとも言えない。
【００３６】
この浸透システム１０においては、空隙部材３１の上方が、コンクリート製の側溝２０によりカバーされる。したがって、プラスチック製の空隙部材３１が破損する可能性は小さくなる。また、万一、空隙部材３１が破損したとしても、路面に現れるのはコンクリート製の側溝２０であり、空隙部材３１の破損により地表に凹凸が発生するのを防止できる。さらに、側溝２０の下側に空隙部材３１を配置することにより、空隙部材３１がその中の水位３９により沈下量が上下することを抑制できる。そして、側溝２０は、浸透貯留槽３０の有無に関わらず路肩に施工されるものなので、設置スペースの確保、施工コストの増加を抑制できる。
【００３７】
この浸透システム１０では、浸透貯留槽３０を側溝２０の下側に埋設し、浸透側溝２０と浸透貯留槽３０との間に透水性の地層１５を設けるだけなので、施工上の難しさも緩和される。すなわち、この浸透システム１０は、次のような工程により施工することができる。
ステップ１：  道路に沿って浸透側溝２０を施工する予定の地域を掘削する。
ステップ２：  浸透側溝２０よりも下側に、浸透側溝２０（道路１）の延びる方向に沿うように空隙部材３１を並べて貯留本体３５とし、その外側の少なくとも一部を透水性シート３２により覆い、浸透型の貯留槽３０を形成する。
ステップ３：  浸透貯留槽３０の上方に透水性の地層１５を形成する。
ステップ４：  透水性の地層１５を挟んで、浸透貯留槽３０の上方に、浸透側溝２０を形成する。
【００３８】
この浸透システム１０のような、全体として、地下に上下に長いスペースを使用して施工されるシステムは、道路側から宅地などの民地へ水道管を引き込んだり、電線あるいは通信線を敷設するための埋設管を引き込んだりする際の障害となる可能性がある。この浸透システム１０では、浸透側溝２０と、浸透貯留槽３０との間に地層１５が存在する。したがって、この地層１５のスペースを水道管あるいはその他の埋設管およびその他の地下埋設物を設置するために使用できる。このため、この浸透システム１０は、地下に埋設される他のシステムとの相性も良く、施工の障害となることが少ない。
【００３９】
さらに、浸透システム１０は、浸透側溝２０に集められた雨水および／または排水の少なくとも一部を貯留槽３０に導き、路面の雨水などの排水を含めて貯留槽に集め、地下浸透させることができる。
【００４０】
浸透側溝２０は、一部が透水性であり、浸透側溝２０の下側に貯留槽３０が設置されているので、透水性の地層１５を介し、コンクリート枡あるいは連通管などを施工せずに、簡単に貯留槽３０に排水を導くことができる。透水性の地層１５とは、例えば、土砂、砕石などにより充填された層である。
【００４１】
この浸透システム１０においては、雨量が少ないときは、浸透側溝２０を介して貯留槽３０に雨水が蓄えられて地下浸透処理される。一方、雨量が多いときには、浸透側溝２０により、地下浸透では処理できない雨水などの排水が排水設備、河川などに導かれ、排水できる。すなわち、降水量が少ないときは、側溝２０に集められた雨水などは地層（地面、土壌）に戻され、植物の育成などに有効に利用され、地下水の枯渇を防止できる。一方、降水量が多いなどの理由で、側溝２０に大量の排水が集められ、そのような排水の全量をその場で浸透処理できない状況になれば、側溝２０を介して排水が流れ、他の場所で浸透したり、河川に放出したり、下水処理場などの排水設備に排出したりすることができる。典型的なケースとしては、集中豪雨などにより、浸透側溝２０に接続された排水管９から大量の雨水などの排水が浸透側溝２０に浸入することである。
【００４２】
したがって、この浸透システム１０は、小規模の浸透貯留設備を分散配置し、雨量の多少に適した方法で雨水を処理できるシステムの一例である。側溝２０により、地表を流れていってしまう排水（雨水）の量をできるだけ減らすには、貯留槽３０の容量が大きいことが望ましい。したがって、図１に示すように、貯留槽３０の貯留本体３５の断面積は、側溝２０の水路２９の断面積よりも大きくしている。また、浸透型の側溝２０は、底壁２０ｂに限らず、側壁２０ａおよび２０ｃからも地面に排水を浸透することができる。したがって、地表から雨水を浸透させるよりも、浸透型の側溝２０にいったん排水を集めた方が、排水を浸透させるための面積を確保できるというメリットもある。
【００４３】
浸透側溝２０の下側の浸透貯留槽３０は、地下水レベルを制御する機能も備えている。すなわち、浸透側溝２０から地層に浸透した排水により地下水の水面が上昇し、浸透貯留槽３０に達すると、貯留槽３０の内部に地下水が浸入して貯留される。このため、地下水の水面の上昇が抑制され、大量の排水が浸透側溝２０に流入しても地下水の水面は浸透側溝２０に到達し難く、浸透側溝２０から溢れにくい。また、側溝２０の地下に浸透貯留槽３０により大きな貯水空間ができるので、浸透側溝２０の周囲まで地下水の水面が上昇し難い。このため、浸透側溝２０を流れる排水の全部または一部を側溝２０の周囲の地層に良好に浸透させることができる。
【００４４】
浸透側溝２０への排水の流入が減ると、側溝２０の近傍の地下水の水面が下がる。浸透貯留槽３０の水面３９よりも下になると、浸透貯留槽３０に貯留されていた水分が周囲の地層に徐々に浸透し、貯留水量が減少する。このように、浸透側溝２０の下に設置された浸透貯留槽３０は、浸透側溝２０の下側の地下水の水面の一時的および／または局部的な変動を抑制するのに効果的である。したがって、大量の排水が流入するような環境になっても浸透側溝２０の本来の機能を発揮できる。
【００４５】
浸透貯留槽３０の上部を覆う透水性シート３２の開口率あるいは透水率を大きくして、浸透側溝２０から透水性の地層に浸透する排水を貯留槽３０に回収しやすい設計としても良い。浸透側溝２０から地層に排出された排水の多くを、貯留槽３０で貯留した後に、土壌に浸透させるようにすることが可能である。浸透貯留槽３０の上部を透水性シート３２の代わりに、栗石を敷き詰めたり、適当な大きさと密度の開口が設けられたコンクリート製などの天板を設置して、開口率を高くすることも可能である。
【００４６】
浸透側溝２０から透水性の地層１５を介して浸透貯留槽３０に回収された水は、地層１５によりフィルタリングされ、また、地層１５の中のバクテリアを含んだ水となる。したがって、排水は、浸透貯留槽３０に到達する間、および／または浸透貯留槽３０に貯留されている間に、自然浄化される。このため、この浸透システム１０では、浸透貯留槽３０に貯留される水の品質の悪化を防止できる。したがって、貯留槽３０の一部を貯水槽として、貯水された水を灌漑などの他の目的で使用することが容易である。
【００４７】
図２に、浸透システム１０の異なる例の構成を断面図により示している。この浸透システム１０は、断面がＵ字型で上方が蓋で封鎖されるタイプの水路２９を備えた浸透側溝２０と、その側溝２０の下方に埋設された浸透貯留槽３０とを備えている。また、側溝２０と浸透貯留槽３０との間に砕石および砂を含む、透水性の地層１５が形成されている。この浸透側溝２０は、例えば、図４（ｃ）に示すＵ字型の側溝用ブロック５２を用いて施工できる。コンクリート製の側溝用ブロック５２は、工場においてプレハブ（プレキャスト）された断面がほぼＵ字型のブロックである。この側溝用ブロック５２は、長手方向に上方が開口５６になった空間５５が形成されており、その空間５５が水路２９となる。この側溝用ブロック５２も長さが１〜２ｍ程度であり、上記の側溝用ブロック５１と同様に、輪荷重を分散して下方に伝えることができる。側溝用ブロック５２の上方の開口５６にはコンクリート製の蓋５７または多孔状のグレーチング製の蓋が設置され、蓋を介して、または、蓋同士の隙間などから雨水などの排水を水路２９に集めることができる。
【００４８】
側溝用ブロック５２も、左右の側壁２１ａおよび２１ｃと、底壁２１ｂに断続的に複数の小さな開口２５が形成されている。したがって、これら左右の側壁２１ａおよび２１ｃと、底壁２１ｂは透水性であり、水路２９となる空間５５を流れる水は、これらの側壁２１ａおよび２１ｃと、底壁２１ｂとを通して周囲に流出する構造となっている。また、この浸透システム１０においても、上記のケースと同様に、透水性の底板ブロック５９を用いて浸透側溝２０が施工されている。
【００４９】
さらに、図２に示した道路１は浸透性舗装が施されており、舗装１ａを通して雨水が舗装１ａの下側の透水層１ｂに達し、透水層１ｂに埋設されたドレイネッジセル８を介して側溝２０の側面２１ａおよび２１ｃの開口２５の付近に回収されるようになっている。ドレイネッジセル８は、平板状に中空の部材が組み合わされた構造を備え、上部から地中に浸透した雨水（排水）などのドレインを回収する機能を備えている。
【００５０】
透水性の地層１５および浸透貯留槽３０の構成は、上述した例と同様である。この浸透システム１０においても、上記の浸透システムと同様に、雨水などの排水を浸透側溝２０から地中（地下）に浸透させることができる。そして、浸透側溝２０から浸透した雨水などの排水は、地中および／または浸透貯留槽３０の条件により、その一部または大半が、浸透貯留槽３０に貯留される。貯留された水は、再び、浸透貯留槽３０から地中（地下）に再び浸透する。
【００５１】
図３に、浸透システム１０のさらに異なる例の構成を断面図により示している。この浸透システム１０は、一部が蓋で封鎖される開渠となり、他の部分が暗渠となった水路２９を備えた浸透側溝２０と、その側溝２０の下方に埋設された浸透貯留槽３０とを備えており、側溝２０と浸透貯留槽３０との間に砕石および砂を含む、透水性の地層１５が形成されている。この浸透側溝２０は、例えば、図４（ｄ）に示すように底側（下側）が全体的に開口５８となり、両端の断面が門型（Ｍ型）の暗渠で、中央は上方が開口５６の開渠になった側溝用ブロック５３を用いて施工できる。このコンクリート製の側溝用ブロック５３も、プレハブ（プレキャスト）され、底壁は現場で施工されるようになっている。したがって、自由勾配側溝（可変側溝）とも呼ばれる。この例では、側溝２０の底は、透水性の底板５９を用いて施工されている。この側溝用ブロック５３も長さが１〜２ｍ程度であり、上記の側溝用ブロック５１と同様に、輪荷重を分散して下方に伝えることができる。側溝用ブロック５３の中央の上方の開口５６にはコンクリート製の蓋５７または多孔状のグレーチング製の蓋が設置され、蓋を介し、または蓋同士の隙間などから雨水などの排水を内部の空間５５により形成される水路２９に集めることができる。
【００５２】
側溝用ブロック５３も、左右の側壁２１ａおよび２１ｃに複数の小さな開口２５が形成されている。また、底板５９にも複数の開口２５が設けられている。したがって、これら左右の側壁２１ａおよび２１ｃと、底板５９による底壁は透水性であり、水路２９となる空間５５を流れる水は、これらの側壁２１ａおよび２１ｃと、底板５９とを通して周囲に流出する構造となっている。
【００５３】
図３に示した浸透側溝２０は、道路１と境界ブロック２を隔てて歩道３の側に敷設されている。歩道３は透水性のインターロッキング３ａにより施工されており、その下にドレイネッジセル８が埋設されている。この浸透性の歩道３は、表面に雨水が溜まらず、インターロッキング３ａおよびドレイネッジセル８を介して浸透側溝２０の側に導かれ、排出または地中に浸透される。
【００５４】
透水性の地層１５および浸透貯留槽３０の構成は、上述した例と同様である。この浸透システム１０においても、上記の浸透システムと同様に、雨水などの排水を浸透側溝２０から地中に浸透させることができる。そして、浸透側溝２０から浸透した雨水などの排水は、地中および／または浸透貯留槽３０の条件により、その一部または大半が、浸透貯留槽３０に貯留される。貯留された水は、浸透貯留槽３０から地中に再び浸透する。
【００５５】
図５に、浸透システム１０のさらに異なる例の構成を断面図により示している。この浸透システム１０は、側溝の代わりに、道路１に沿って設けられた構造体として、断面がＬ字型の境界ブロック６１により施工されたコンクリート製の路肩６０を備えている。そして、このＬ字型の路肩６０の下側に、上記と同様の構成の浸透貯留槽３０が埋設されている。
【００５６】
このＬ字型の境界ブロック６１は、歩道３と車道１との境界ブロックでもあり、さらに、上面６３が歩道３の側に傾いており、雨水を集めるための側溝としても機能する。したがって、このＬ字型の境界ブロック６１により施工された構造体６０は、Ｌ型側溝と称される。このＬ型側溝６０は、道路１に沿って施工され、適当な間隔を開けた場所に集水枡６５が設けられている。集水枡６５は底６５ａが開いた浸透性の枡であり、その下に、透水性の地層１５を介して浸透貯留槽３０が配置されている。したがって、Ｌ型側溝６０により集められた雨水は、集水枡６５と透水性の地層１５を介して浸透貯留槽３０に導かれる。
【００５７】
コンクリート製のＬ字型の境界ブロック６１も工場でプレハブ（プレキャスト）され、長さが１〜２ｍ程度である。したがって、上記の側溝用ブロック５１と同様に、輪荷重を分散して下方に伝えることができる。
【００５８】
浸透型の集水枡６５の代わりに、貯留槽３０に直に接するような導水あるいは連結用の枡を配置しても良い。Ｌ型側溝６０から集水枡６５に排水を集める部分は、開口６４でグレーチングなどの蓋がされていても良く、多孔状の浸透型の境界ブロックを配置しても良い。
【００５９】
なお、道路１に沿った構造体の例として示した各タイプの浸透側溝２０、すなわち、カルバート型の側溝、Ｕ字型の側溝および可変勾配型の側溝は、置換可能であり、いずれも道路１に沿って敷設したり、歩道３に沿って施工したり、それらを横断するように施工したりすることができる。図４（ａ）、（ｃ）および（ｄ）に示した側溝用ブロックは、浸透側溝２０を施工するのに適した側溝用ブロックの一例であり、側溝用ブロックはこれらに限定されない。例えば、透水性の側壁、床壁は、ポーラスコンクリートで形成しても良い。また、透水用の開口も、縦または横に延びたスリット状のものであっても良い。側溝用ブロックの上面あるいはブロックの開口にセットされる蓋の上面は、格子状あるいは碁盤状などの模様を備えていても良く、さらに、境界ブロックが一体となった形状であっても良い。その他、側溝が施工される現場に合わせて種々のバリエーションが考えられる。また、浸透側溝２０は、側溝用ブロックを用いる代わりに、全部または一部を、ポーラスコンクリートなどを用いて現場施工することも可能である。
【００６０】
さらに、道路１に沿った構造体は、境界ブロックで施工される路肩のように、積極的に側溝としての機能を持たないものであっても良い。また、道路１に沿った構造体は、浸透型ではない側溝であっても良い。しかしながら、構造体の下側に配置された浸透型の貯留槽３０に雨水などの排水を容易に導くように集水枡などの導水手段を適当な間隔で設けて置くことが望ましい。従来から道路わき（路肩）に施工されている領域に、上記の浸透システム１０を設けることにより、大規模な浸透性の貯留槽を施工あるいは配置しなくても、十分な貯水量（貯留量）を備えた浸透型の貯留排水システムを設置することができる。また、大容量の浸透型の貯留排水システムを設置するために道路の面積が狭められたり、民地が狭められて犠牲になったりすることも防止できる。
【００６１】
浸透貯留槽３０は、浸透側溝２０または道路１に沿って断続的に設けても良く、連続した水路を構成するように設けても良い。浸透貯留槽３０を断続的に施工する１つの方法は、適当な間隔で空隙部材３１の間に不透水性のシートを挟むことである。複数の浸透貯留槽３０を所定のピッチ、例えば、１０ｍ毎に浸透側溝２０の下に埋設しても良い。浸透貯留槽３０に貯留された水を、その場所で地層に浸透させることができる。また、貯水機能があるので、浸透貯留槽３０に貯水された水を他の用途に使用することができる。これら断続的な貯留槽３０は、道路１および／または側溝２０の勾配とは独立した勾配、例えば、水平に施工することができ、貯留槽３０のそれぞれの全域に均等に水を蓄えて、地下浸透させることができる。断続的な貯留槽３０の典型的なものは、上方の側溝あるいは道路が傾斜しているのに対し、階段状に複数の貯留槽３０が埋設されているものである。
【００６２】
一方、浸透貯留槽３０を水路として用いることにより、地下に十分な排水量を備えた水路を設けることができる。したがって、道路１に沿った構造体は、水路としての機能を持たなくても良いか、あるいは少量の排水を短い距離だけ導けるような構造のものにすることができる。このため、路肩に、運転の障害となったり、歩行の障害となったりするような深い側溝を配置しなくても、道路から雨水を排水することができ、雨量の多いときでも安全に走行できる道路システムを提供できる。
【００６３】
地下水路を構成するような浸透貯留槽３０を施工する１つの方法は、空隙部材３１を側溝２０の延びた方向に連続して配置することである。
【図面の簡単な説明】
【００６４】
【図１】浸透システムの一例の構成を示す断面図。
【図２】浸透システムの他の例の構成を示す断面図。
【図３】浸透システムのさらに異なる他の例の構成を示す断面図。
【図４】図４（ａ）は、カルバート型の側溝を施工するためのコンクリート製の側溝用ブロックの斜視図、図４（ｂ）は、コンクリート製の底板の斜視図、図４（ｃ）は、Ｕ字型の側溝を施工するためのコンクリート製の側溝用ブロックの斜視図、図４（ｄ）は、可変勾配型の側溝を施工するためのコンクリート製の側溝用ブロックの斜視図。
【図５】浸透システムのさらに異なる他の例の構成を示す断面図。
【符号の説明】
【００６５】
１    道路、  ２    境界ブロック、  ３    歩道
１０    浸透システム
２０    浸透側溝
３０    浸透貯留槽、  ３１    充填部材、  ３２    透水性シート
５１、５２、５３    側溝用ブロック、  ５９    底板
【図１】
2008163637.tif 000003
【図２】
2008163637.tif 000004
【図３】
2008163637.tif 000005
【図４】
2008163637.tif 000006
【図５】
2008163637.tif 000007